(57)【要約】飲料容器の蓋アセンブリは、組み合わされたプレミアム表示領域、および飲料容器のための冷却／断熱構造体を提供する。本発明に従う飲料蓋アセンブリの構成は、蓋アセンブリの上側表面と、この蓋アセンブリに固定されるプレミアムとの間に、通路を備える。この通路は、これらの上側表面とプレミアムとの間での空気流を可能にし、これによって、冷却を促進し、そしてプレミアムを凝縮から保護する。いくつかの実施形態において、この上側表面は傾斜しており、このことにより、熱の流れを増強する。
2005535528.tif 000002
【特許請求の範囲】
【請求項１】
飲料容器のための蓋アセンブリであって、該蓋アセンブリは、以下：
蓋部材であって、該蓋部材は、飲料分配開口部分および上側表面を備え、該上側表面の周りに、該蓋部材を飲料容器に固定するためにリム部分が形成されており、該蓋部材は、該上側表面から上向きに延びる、複数のスペーサー部材を形成され、該スペーサー部材は、組み合わされたプレミアム表示領域および該飲料容器のための冷却／断熱構造体を提供する、蓋部材；ならびに
プレミアムを該スペーサー部材に固定するための機構であって、その結果、該プレミアムは、ギャップによって、該上側表面から分離され、該ギャップは、該上側表面の上での空気流を可能にする、機構、
を備える、蓋アセンブリ。
【請求項２】
前記スペーサー部材が、前記リム部分に隣接する前記上側表面の周りに位置する、周囲スペーサー部材を備える、請求項１に記載の飲料容器のための蓋アセンブリ。
【請求項３】
前記スペーサー部材が、中心に位置決めされたライザー部材を備える、請求項１に記載の飲料容器のための蓋アセンブリ。
【請求項４】
前記中心に位置決めされたライザー部材が、前記固定機構への機械的結合のための凹部を形成されている、請求項３に記載の飲料容器のための蓋アセンブリ。
【請求項５】
前記スペーサー部材が、複数のリブ付きスペーサー部材を備える、請求項１に記載の飲料容器のための蓋アセンブリ。
【請求項６】
前記リブ付きスペーサー部材が、前記上側表面の上での空気流を可能にするチャネルを形成する、請求項５に記載の飲料容器のための蓋アセンブリ。
【請求項７】
前記チャネルのうちの少なくとも１つが、前記飲料分配開口部分に隣接して始まり、そして前記上側表面を横切って続く、請求項６に記載の飲料容器のための蓋アセンブリ。
【請求項８】
前記上側表面が、前記リム部分の底縁部を含む面に対してある角度である、請求項１に記載の飲料容器のための蓋アセンブリ。
【請求項９】
前記上側表面の周囲が、前記プレミアムと形状が相補的である、請求項８に記載の飲料容器のための蓋アセンブリ。
【請求項１０】
前記角度の頂点が、前記飲料分配開口部分の近くに位置する、請求項８に記載の飲料容器のための蓋アセンブリ。
【請求項１１】
前記角度の頂点が、前記蓋部材の、前記飲料分配開口部分の反対側の部分の近くに位置する、請求項８に記載の飲料容器のための蓋アセンブリ。
【請求項１２】
前記固定機構が、前記リム部分に固定されたアーム部材を備え、該アーム部材が、前記飲料分配開口部分内にフィットするような大きさにされたプラグを有する端部を備える、請求項１に記載の飲料容器のための蓋アセンブリ。
【請求項１３】
前記プレミアムが、中心に位置する穴を有し、前記固定機構が、スナップフィットプラグ部材を備え、そして前記スペーサー部材が、中心に位置するライザー部材を備え、該ライザー部材は、該スナップフィットプラグ部材を受容し、そして機械的に係合するような大きさにされている、請求項１に記載の飲料容器のための蓋アセンブリ。
【請求項１４】
前記プレミアムが、中心に位置する穴を有し、そして前記固定機構が、スナップオンフィット部材を備え、該部材は、前記上側表面上に形成されており、そして該中心に位置する穴を通ってフィットするような大きさにされており、そして該プレミアムと一緒にスナップし、一方で、該プレミアムと該上側表面との間の前記ギャップを維持する、請求項１に記載の飲料容器のための蓋アセンブリ。
【請求項１５】
前記固定機構が、前記リム部分に固定された頂部を備え、該頂部は、前記飲料分配開口部分内にフィットされるような大きさにされたプラグを有する端部を備える、請求項１に記載の飲料容器のための蓋アセンブリ。
【請求項１６】
前記固定機構が、前記リム部分に固定された頂部部分を備え、該頂部部分は、ディスク形状のプレミアムを覆い、そして該プレミアムを受容するような大きさの陥凹部分を備える、請求項１に記載の飲料容器のための蓋アセンブリ。
【請求項１７】
前記頂部部分が、プラグを有する端部を備え、該プラグは、前記飲料分配開口部分内にフィットするような大きさにされている、請求項１６に記載の飲料容器のための蓋アセンブリ。
【請求項１８】
前記頂部が、突出する留め金部材を形成され、該部材は、該頂部に前記プレミアムを機械的に結合するために構成されている、請求項１６に記載の飲料容器のための蓋アセンブリ。
【請求項１９】
前記頂部が、突出物を形成され、該突出物は、前記スペーサー部材とインターロックするように、前記スペーサー部材と相補的な形状にされている、請求項１６に記載の飲料容器のための蓋アセンブリ。
【請求項２０】
前記頂部が、前記プレミアムを前記陥凹部分内に固定するための、ヒンジ付きカバーをさらに備える、請求項１６に記載の飲料容器のための蓋アセンブリ。
【請求項２１】
前記固定機構が、前記リム部分に固定された頂部を備え、該頂部は、カード形状のプレミアムの上にフィットし、そして該プレミアムを受容するような大きさの陥凹部分を備える、請求項１に記載の飲料容器のための蓋アセンブリ。
【請求項２２】
前記頂部が、プラグを有する端部を備え、該プラグは、前記飲料分配開口部分アイにフィットするような大きさにされている、請求項２１に記載の飲料容器のための蓋アセンブリ。
【請求項２３】
前記基固定機構が、前記蓋部材に固定される頂部を備える、請求項１に記載の飲料容器のための蓋アセンブリ。
【請求項２４】
前記頂部が、透明または半透明である、請求項２３に記載の飲料容器のための蓋アセンブリ。
【請求項２５】
前記頂部および前記蓋部材が、相補的な様式で形成されており、その結果、該頂部が、前記プレミアムを覆って、該蓋部材にスナップフィットされ得る、請求項２３に記載の飲料容器のための蓋アセンブリ。
【請求項２６】
前記固定機構が、前記蓋部材と相補的な様式で形成された頂部を備え、その結果、該頂部が、該蓋部材と機械的に係合する、請求項１に記載の飲料容器のための蓋アセンブリ。
【請求項２７】
前記頂部が、下向きに延びる突出物を形成されている、請求項２６に記載の飲料容器のための蓋アセンブリ。
【請求項２８】
前記頂部が、下向きに延びるプラグ部分を形成されており、該プラグ部分は、前記飲料分配開口部分内にフィットするような大きさにされている、請求項２６に記載の飲料容器のための蓋アセンブリ。
【請求項２９】
前記頂部が、前記プレミアムを内部に受容するような大きさにされた陥凹部分を形成されている、請求項２６に記載の飲料容器のための蓋アセンブリ。
【請求項３０】
前記頂部が、前記プレミアムの上に、前記陥凹部分内へとフィットするような大きさにされたカバーをさらに備える、請求項２９に記載の飲料容器のための蓋アセンブリ。
【請求項３１】
前記固定機構が、前記スペーサー部材の頂部に適用された接着物質を含む、請求項１に記載の飲料容器のための蓋アセンブリ。
【請求項３２】
飲料容器のための蓋アセンブリであって、該蓋アセンブリは、以下：
飲料分配開口部分および上部表面を備える蓋部材であって、該蓋部材を飲料容器に固定するためのリム部分が、該蓋部材の周りに形成されている、蓋部材；
該上部表面の上にフィットするような大きさにされた繊維性スペーサー部材であって、該繊維性スペーサー部材は、該飲料容器のための、組み合わされたプレミアム表示領域および冷却／断熱構造体を提供する、繊維性スペーサー部材；ならびに
プレミアムを該繊維性スペーサー部材に固定するための機構であって、その結果、該プレミアムが、該繊維性スペーサー部材によって、該上側表面から分離され、これは、該上側表面の上での空気流を可能にする、機構、
を備える、飲料容器のための蓋アセンブリ。
【請求項３３】
前記プレミアムが、中心に位置する穴を有し、そして前記固定機構が、スナップフィットプラグ部材を備え、該スナップフィットプラグ部材は、該中心に位置する穴を通ってフィットし、そして前記蓋部材を機械的に係合するような大きさにされている、請求項３２に記載の飲料容器のための蓋アセンブリ。
【請求項３４】
飲料容器のための蓋アセンブリであって、該蓋アセンブリは、以下：
飲料分配開口部分および上部表面を備える蓋部材であって、該蓋部材を飲料容器に固定するためのリム部分が、該蓋部材の周りに形成されている、蓋部材；
該上側表面の上にフィットするような大きさにされた波型スペーサー部材であって、該波型スペーサー部材は、組み合わされたプレミアム表示領域および該飲料容器のための冷却／断熱構造体を提供する、波形スペーサー；ならびに
プレミアムを該波形スペーサー部材に固定するための機構であって、その結果、該波形スペーサー部材は、該プレミアムを該上側表面から分離し、そして該上側表面にわたる空気流を可能にする、機構、
を備える、飲料容器のための蓋アセンブリ。
【請求項３５】
前記波形スペーサー部材が、前記上側表面を覆ってフィットするように切断された波形の厚紙のシートを備える、請求項３４に記載の飲料容器のための蓋アセンブリ。
【請求項３６】
飲料容器のための蓋アセンブリであって、該蓋アセンブリは、以下：
飲料分配開口部分および上部表面を備える蓋部材であって、該蓋部材を飲料容器に固定するためのリム部分が、該蓋部材の周りに形成されている、蓋部材；
下向きに延びる突出部を備えるスペーサー部材であって、該突出部は、該スペーサー部材を該蓋部材に機械的に相互フィットさせながらも、該スペーサー部材と該上側表面との間のギャップを維持するように構成されている、スペーサー部材；ならびに
プレミアムを該スペーサー部材に固定するための機構、
を備える、飲料容器のための蓋アセンブリ。
【請求項３７】
前記蓋部材の周囲部分が、前記下向きに延びる突出部の１つ以上に相補的な押し込み硬さで形成される、請求項３６に記載の飲料容器のための蓋アセンブリ。
【請求項３８】
前記下向きに延びる突出部が、前記飲料分配開口部分内にフットするような大きさにされたプラグ部材を備える、請求項３６に記載の飲料容器のための蓋アセンブリ。
【請求項３９】
前記プレミアム固定機構が、上向きに延びるポスト部材を備える、請求項３６に記載の飲料容器のための蓋アセンブリ。
【請求項４０】
飲料容器のための蓋アセンブリであって、該飲料容器は、以下：
飲料分配開口部分および上側表面を備える蓋部材であって、該上側表面は、該蓋部材を該飲料容器に固定するためのリム部分が周りに形成されている、蓋部材；ならびに
少なくとも１つの下向きに延びる突出部を備える波型スペーサー部材であって、該突出部は、該スペーサー部材を該蓋部材に機械的に相互フィットさせるために構成されており、該波形スペーサー部材は、表示領域および該飲料容器のための冷却／断熱構造体を提供し、該表示領域に、プレミアムが固定され得る、波形スペーサー部材、
を備える、飲料容器のための蓋アセンブリ。
【請求項４１】
飲料容器の蓋のためのプレミアムホルダ装置であって、該プレミアムホルダ装置は、以下：
プラットフォームであって、該プラットフォームには、下向きに突出する複数のスペーサー部材、および中心に配置される下向きに突出する差込部材が形成されており、該差込部材は、飲料容器の蓋のストロー穴内にフィットするため、および該プラットフォームを該飲料容器の蓋に固定するための大きさにされており、その結果、ギャップが、該プラットフォームと該飲料容器の蓋の上側表面との間に維持される、プラットフォーム；ならびに
該プラットフォームにプレミアムを固定するための機構、
を備える、飲料容器の蓋のためのプレミアムホルダ装置。
【請求項４２】
前記プレミアムが、中心に位置する穴を有し、そして前記固定する機構が、スナップオンフィット部材を備え、該スナップオンフィット部材は、前記プラットフォームから上向きに突出し、そして該中心に位置する穴を通り、そして該プレミアムと一緒にスナップされるような大きさにされている、請求項４１に記載の飲料容器の蓋のためのプレミアムホルダ装置。
【請求項４３】
前記プラットフォーム、前記差込部材および前記スナップオンフィット部材が、これらを通って延びるチャネルを形成されている、請求項４２に記載の飲料容器の蓋のためのプレミアムホルダ装置。
【請求項４４】
飲料容器の蓋のためのプレミアムホルダ装置であって、該プレミアムホルダ装置は、以下：
飲料容器の蓋のストロー穴内にフィットするための大きさにされている、差込部材；および
該差込部材にプレミアムを固定するための機構、
を備える、医療容器の蓋のためのプレミアムホルダ装置。
【請求項４５】
前記固定機構が、前記プレミアムを前記差込部材に取り付ける可撓性部材を備える、請求項４４に記載の飲料容器の蓋のためのプレミアムホルダ装置。
【請求項４６】
前記差込部材には、該部材を通ってストローが延びるためのチャンバが形成されている、請求項４４に記載の飲料容器の蓋のためのプレミアムホルダ装置。
【発明の詳細な説明】
【技術分野】
【０００１】
（発明の背景）
プレミアム（例えば、デジタルメディアディスク、ＣＤ−ＲＯＭ業務用名刺、テレホンカード、クーポン券、小冊子、広告材料など）が取り付けられ得る種々の飲料の蓋アセンブリが、公知である。しかし、公知の飲料の蓋アセンブリは、ホット飲料の容器との使用に最適に適切ではない（例えば、コーヒーまたは紅茶のための持ち帰りカップ）。他の欠点のうちでもとりわけ、プレミアムが取り付けられ得る公知の飲料の蓋アセンブリは、このプレミアムがホット飲料製品からの熱によって損傷されることから十分には保護しない。プレミアムが熱に対して感受性である場合（例えば、ＣＤ−ＲＯＭおよびＤａｔａＰｌａｙディスクのような媒体である場合）に、熱的保護は重要である。例えば、ホット飲料製品からの熱に近く接近することによって引き起こされるそりは、ＣＤ−ＲＯＭをＣＤリーダー内で不均一にスピンさせ得、これによって、これらのＣＤ−ＲＯＭを使用不可能にし、消費者を狼狽させ、そして製造業者にさらなる費用を招く。さらに、ＤａｔａＰｌａｙディスクまたは他のカセット型のシステムのような、閉じた区画を使用する媒体は、凝縮を受けやすく、これは、内部の機構を損傷し得る。ホット飲料からの水蒸気に浸される場合、またはコールド飲料に近付くことによって露点より低い温度まで冷却される場合に、プレミアムに対する問題が起こり得る。これらの状況において、凝縮による水分のプールからプレミアムを隔離する、ホット飲料またはコールド飲料のための蓋アセンブリを有することが望ましい。
【発明の開示】
【発明が解決しようとする課題】
【０００２】
飲料製品が、容器から人またはプレミアムのいずれか上にはね散ることを防止する、飲料容器のための蓋アセンブリを有することもまた、望ましい。
【０００３】
プレミアムが蓋アセンブリに取り付けられたままで、飲料製品が容器から分配されることを可能にする、飲料容器のための蓋アセンブリを有することもまた、望ましい。
【０００４】
プレミアムをしっかりと保持するが、また、このプレミアムが蓋アセンブリから少量の力で取り外されることを可能にし、これによって、蓋アセンブリをプレミアムと一緒に偶然に飲料容器から取り外す機会、または蓋アセンブリを飲料容器から意図せずに他の様式で分離する機会を減少させる、飲料容器のための蓋アセンブリを有することもまた、望ましい。
【課題を解決するための手段】
【０００５】
本発明の実施形態の詳細な説明は、添付の図面を参照してなされる。
【０００６】
（詳細な説明）
以下は、本発明を実施する、現在既知の最良の形態の詳細な説明である。この記載は、限定する意味で解釈されず、単に、本発明の一般的な原理を説明する目的でなされる。
【０００７】
本発明に従う飲料蓋アセンブリの構成は、蓋アセンブリの上側表面と、この蓋アセンブリに固定されるプレミアムとの間に、通路を備える。この通路は、これらの上側表面とプレミアムとの間での空気流を可能にし、これによって、冷却を促進し、そしてプレミアムを凝縮から保護する。いくつかの実施形態において、この上側表面は傾斜しており、このことにより、熱の流れを増強する。例えば、ホット飲料製品が上側表面を暖めるにつれて、蓋とプレミアムとの間の傾斜した通路内の加熱された空気が上昇し、そしてより冷たい空気がこの通路の下部に引き込まれるにつれて、この通路の上側部分から出る。
【０００８】
図１を参照すると、本発明に従う蓋アセンブリ１００の例示的な実施形態が示されている。蓋アセンブリ１００は、上側表面１０４および飲料分配開口部分１０６を有する、蓋部材１０２を備える。蓋部材１０２を飲料容器５０に固定するためのリム部分１０８が、上側表面１０４の周りに形成される。上側表面１０４には、示されるように、上向きに延びる複数の上昇したライザーまたはスペーサー部材１１０が形成される。例示的な図示される実施形態において、これらの周囲のスペーサー部材１１０は、リム部分１０８に隣接する上側表面１０４の周りに位置する。スペーサー部材１１０は、中心に位置するライザー部材１１２と組み合わせて、組み合わされたプレミアム表示領域および冷却／断熱構造体を提供し、これは、デジタルメディアディスク６０（例えば、ＣＤ、ＤＶＤなど）の形態のプレミアムに適合する。スペーサー部材１１０と中心に位置するライザー部材１１２とは、一緒に、プレミアムを上側表面１０４から離して維持する。これにより、通路が提供され、この通路は、上側表面１０４とプレミアムとの間での空気流を可能にし、これによって、冷却を促進し、そしてプレミアムを凝縮から保護する。例示的な図示される実施形態において、上側表面１０４はまた、リム部分１０８の底縁部に対してある角度で形成され、この通路を通る空気の流れを促進する。
【０００９】
蓋アセンブリ１００はまた、スペーサー部材にプレミアムを固定するための機構を備え、その結果、このプレミアムは、ギャップによって、上側表面１０４から間隔を空け、このことは、上側表面１０４にわたる空気流を可能にする。一般に、固定機構は、蓋部材に固定される頂部を備える。例えば、固定機構は、プレミアムを上昇したライザーに固定するための、留め具部材を備える。図１および１Ａに示される実施形態において、固定機構は、リム部分１０８に固定されたアーム部材１１４を備え、このアーム部材１１４は、飲料分配開口部分１０６内にフィットするような大きさにされたプラグ１１８を備える端部を備える。この密封された状態（図１Ａ）において、留め具機構のマウスピースこぼれ防止プラグ１１８が、蓋アセンブリ１００の飲料分配開口部分１１８に挿入される。例として、ホルダプラグ１１８は、蓋の形成された延長部であるか、または蓋に取り付けられる部分であり、ホルダプラグが、この伸張部の端部に形成され、これは、ＣＤ／プレミアムの上に折り曲げられて、ＣＤ／プレミアムをこの蓋に固定し得、そしてさらに、飲料吸い込み開口部分に差し込まれ、そしてこれによってシールするように、位置決めされ得る。しかし、本発明の固定機構は、図１および１Ａに示される留め具実施形態に限定されないことが、明らかであるはずである。
【００１０】
図２Ａおよび２Ｂを参照すると、蓋アセンブリ２００は、上側表面２０４、飲料分配開口部分２０６、および通気孔２０７を有する、蓋部材２０２を備える。蓋部材２０２を飲料容器に固定するためのリム部分２０８が、上側表面２０４の周りに形成される。上側表面２０４には、示されるように、上向きに延びる複数の上昇したライザーまたはスペーサー部材２１０が形成される。例示的な図示される実施形態において、これらの周囲のスペーサー部材２１０は、上側表面２０４の周りに、リム部分２０８に隣接して位置決めされる、スペーサー部材２１０は、中心に位置するライザー部材２１２と組み合わせて、組み合わされたプレミアム表示領域および冷却／断熱構造体を提供し、これは、デジタルメディアディスク６０の形態のプレミアムに適合する（図２Ｂ）。スペーサー部材２１０および中心に位置するライザー部材２１２は、一緒に、プレミアムを、上側表面２０４から離して維持する。これにより通路が提供され、この通路は、上側表面２０４とプレミアムとの間での空気流を可能にし、これによって、冷却を促進し、そしてプレミアムを凝縮から保護する。例示的な記載される実施形態において、上側表面２０４はまた、リム部分２０８の底縁部に対してある角度で形成され、この通路を通る空気に流れを促進する。
【００１１】
蓋アセンブリ２００はまた、プレミアムをスペーサー部材２１０に固定するための機構を備える。例示的な図示される実施形態において、中心に位置するライザー部材２１２には、固定機構（例えば、スナップインプラグ２１６）への機械的結合のための凹部２１４が形成される。従って、例示的な図示される実施形態は、中心に位置する穴を有するプレミアムに適合し、ここで、中心に位置するライザー部材２１２は、摩擦ばめによって、スナップフィットプラグ部材２１６を受容し、そして機械的に係合するような大きさにされる。あるいは、ホルダプラグが、例えば、接着接触、フックおよびループ型の固定具（例えば、ＶＥＬＣＲＯ（登録商標））、相補的にねじ切りされた片、または他の構成のインターロック部品によって、蓋部材２０２の底部に固定されるように形成され得、これによって、プレミアムをこの底部に固定する。１つの実施形態において、スナップフィットプラグ部材２１６および飲料分配開口部分２０６は、プラグ部材２１６の下部が飲料分配開口部分２０６内にフィットし得、これによって、スナップフィットプラグ部材２１６がさらに「吸い込みプラグ」として機能することを可能にするような大きさにされる。
【００１２】
図３Ａおよび３Ｂを参照すると、蓋アセンブリ３００は、上側表面３０４、飲料分配開口部分３０６、および通機構３０７を有する、蓋部材３０２を備える。リム部分３０８が、蓋部材３０２を飲料容器に固定するために、上側表面３０４の周りに形成される。上側表面３０４には、示されるように、上方に延びる複数の上昇したライザーまたはスペーサー部材３１０が形成される。例示的な図示される実施形態において、これらの周囲のスペーサー部材３１０は、上方表面３０４の周りに、リム部分３０８に隣接して位置する。スペーサー部材３１０は、中心に位置するライザー部材３１２と組み合わせて、組み合わされたプレミアム表示領域および冷却／断熱構造体を提供し、この構造体は、デジタル媒体ディスク６０（図３Ｂ）の形態のプレミアムに適合する。スペーサー部材３１０および中心に位置するライザー部材３１２は、一緒に、プレミアムを、上側表面３０４から離して維持する。これにより、通路が提供され、この通路は、上側表面３０４とプレミアムとの間での空気流を可能にし、これによって、冷却を促進し、そしてプレミアムを凝縮から保護する。例示的な図示される実施形態において、上側表面３０４はまた、リム部分３０８の底縁部に対してある角度で形成され、この通路を通る空気の流れを促進する。
【００１３】
蓋部材３００はまた、プレミアムをスペーサー部材３１０に固定するための機構を備える。例示的な図示される実施形態において、中心に位置するライザー部材３１２には、穴を有するプレミアムを蓋アセンブリに固定するための、上向きに突出するスナップオン取付具３１４が形成される。従って、例示的な図示される実施形態は、中心に位置する穴を有するプレミアムに適合され、ここで、スナップオンフィット部材３１４は、中心に位置する穴を通してフィットし、そしてプレミアムと上側表面との間にギャップを維持しながら、プレミアムと一緒にスナップされるような形状および大きさにされる。
【００１４】
図４Ａ〜４Ｅを参照すると、蓋アセンブリ４００は、水平な上側表面４０４、飲料分配開口部分４０６および排気孔４０７を有する蓋部材４０２を備える。リム部分４０８が、蓋部材４０２を飲料容器に固定するために、上側表面４０４の周りに形成される。上側表面４０４には、示されるように、上方に延びる複数の上昇したライザーまたはスペーサー部材４１０が形成される。例示的な図示される実施形態において、これらの周囲のスペーサー部材４１０は、上側表面４０４の周りに、リム部分４０８に隣接して位置する。スペーサー部材４１０は、中心に位置するライザー部材４１２と組み合わせて、組み合わされたプレミアム表示領域および冷却／断熱構造体を提供し、この構造体は、デジタル媒体ディスク６０（図４Ｂ〜４Ｄ）の形態のプレミアムに適合する。スペーサー部材４１０および中心に位置するライザー部材４１２は、一緒に、プレミアムを、上側表面４０４から離して維持する。これにより通路が提供され、この通路は、上側表面４０４とプレミアムとの間での空気流を可能にし、そしてこれによって、冷却を促進し、そしてプレミアムを凝縮から保護する。
【００１５】
蓋アセンブリ４００はまた、プレミアムをスペーサー部材４１０に固定するための機構を備える。例示的な図示される実施形態において、中心に位置するライザー部材４１２には、固定機構（例えば、スナップインプラグ４１６）への機械的結合のための凹部４１４が形成される。従って、例示的な図示される実施形態は、中心に位置する穴を有するプレミアムに適合し、ここで、中心に位置するライザー部材４１２は、摩擦ばめによって、スナップフィットプラグ部材４１６を受容し、そして機械的に係合するような大きさにされる。あるいは、ホルダプラグが、例えば、接着接触、フックおよびループ型の固定具（例えば、ＶＥＬＣＲＯ（登録商標））、相補的にねじ切りされた片、または他の構成のインターロック部品によって、蓋部材４０２の底部に固定されるように形成され得、これによって、プレミアムをこの底部に固定する。１つの実施形態において、スナップフィットプラグ部材４１６および飲料分配開口部分４０６は、プラグ部材４１６の下部が飲料分配開口部分４０６内にフィットし得、これによって、スナップフィットプラグ部材４１６がさらに「吸い込みプラグ」として機能することを可能にするような大きさにされる。
【００１６】
図５Ａ〜５Ｃを参照すると、蓋アセンブリ５００は、水平な上側表面５０４、飲料分配開口部分５０６および排気孔５０７を有する蓋部材５０２を備える。リム部分５０８が、蓋部材５０２を飲料容器に固定するために、上側表面５０４の周りに形成される。上側表面５０４には、示されるように、上方に延びる複数の上昇したスペーサー部材５１０が形成され、上側表面５０４にわたる空気流を可能にし得るチャネルを提供する。例示的な図示される実施形態において、リブ付きスペーサー部材５１０は、蓋部材の、飲料分配開口部分５０６に隣接する側で開始し、そして排気孔５０７に隣接する反対側で終わって、上側表面５０４を横切って（示されるように平行に）延びる。リブ付きスペーサー部材５１０は、中心に位置するライザー部材５１２と組み合わせて、組み合わされたプレミアム表示領域および冷却／断熱構造体を提供し、この構造体は、デジタル媒体ディスク６０（図５Ｂ）の形態のプレミアムに適合する。リブ付きスペーサー部材５１０および中心に位置するライザー部材５１２は、一緒に、プレミアムを、上側表面５０４から離して維持する。これにより通路が提供され、この通路は、上側表面５０４とプレミアムとの間での空気流を可能にし、そしてこれによって、冷却を促進し、そしてプレミアムを凝縮から保護する。
【００１７】
蓋アセンブリ５００はまた、プレミアムをリブ付きスペーサー部材５１０に固定するための機構を備える。例示的な図示される実施形態において、中心に位置するライザー部材５１２には、固定機構（例えば、スナップインプラグ５１６）への機械的結合のための凹部５１４が形成される。従って、例示的な図示される実施形態は、中心に位置する穴を有するプレミアムに適合し、ここで、中心に位置するライザー部材５１２は、摩擦ばめによって、スナップフィットプラグ部材５１６を受容し、そして機械的に係合するような大きさにされる。あるいは、ホルダプラグが、例えば、接着接触、フックおよびループ型の固定具（例えば、ＶＥＬＣＲＯ（登録商標））、相補的にねじ切りされた片、または他の構成のインターロック部品によって、蓋部材５０２の底部に固定されるように形成され得、これによって、プレミアムをこの底部に固定する。１つの実施形態において、スナップフィットプラグ部材５１６および飲料分配開口部分５０６は、プラグ部材５１６の下部が飲料分配開口部分５０６内にフィットし得、これによって、スナップフィットプラグ部材５１６がさらに「吸い込みプラグ」として機能することを可能にするような大きさにされる。
【００１８】
図６Ａ〜６Ｃを参照すると、蓋アセンブリ６００は、水平な上側表面６０４、飲料分配開口部分６０６および排気孔６０７を有する蓋部材６０２を備える。リム部分６０８が、蓋部材６０２を飲料容器に固定するために、上側表面６０４の周りに形成される。スペーサー部材６１０は、上側表面６０４は、上側表面６０４にわたる空気流を可能にするチャネルを提供するように形成される。例示的な図示される実施形態において、スペーサー部材６１０は、上側表面を覆ってフィットするような大きさの繊維性材料の片を備え、この繊維性スペーサー部材は、組み合わされたプレミアム表示領域および冷却／断熱構造体を提供し、この構造体は、デジタル媒体ディスク６０（図６Ｂおよび６Ｃ）の形態のプレミアムに適合する。繊維性スペーサー部材は、プレミアムを、上側表面６０４から離して維持する。これにより通路が提供され、この通路は、上側表面６０４とプレミアムとの間での空気流を可能にし、そしてこれによって、冷却を促進し、そしてプレミアムを凝縮から保護する。あるいは、スペーサー部材６１０は、例えば、波形の厚紙のシート（図１６においてのような）から形成され、上側表面を覆ってフィットするように切断された、波形スペーサー部材を備え得る。
【００１９】
蓋アセンブリ６００はまた、プレミアムをスペーサー部材６１０に固定するための機構を備える。例示的な図示される実施形態において、中心に位置するライザー部材６１２には、固定機構（例えば、スナップインプラグ６１６）への機械的結合のための凹部６１４が形成される。従って、例示的な図示される実施形態は、中心に位置する穴を有するプレミアムに適合し、ここで、中心に位置するライザー部材６１２は、摩擦ばめによって、スナップフィットプラグ部材６１６を受容し、そして機械的に係合するような大きさにされる。あるいは、ホルダプラグが、例えば、接着接触、フックおよびループ型の固定具（例えば、ＶＥＬＣＲＯ（登録商標））、相補的にねじ切りされた片、または他の構成のインターロック部品によって、蓋部材６０２の底部に固定されるように形成され得、これによって、プレミアムをこの底部に固定する。１つの実施形態において、スナップフィットプラグ部材６１６および飲料分配開口部分６０６は、プラグ部材６１６の下部が飲料分配開口部分６０６内にフィットし得、これによって、スナップフィットプラグ部材６１６がさらに「吸い込みプラグ」として機能することを可能にするような大きさにされる。
【００２０】
図７を参照すると、蓋アセンブリ７００は、水平な上側表面７０４および飲料分配開口部分７０６を有する、蓋部材７０２を備える。リム部分７０８が、蓋部材７０２を飲料容器５０に固定するために、上側表面７０４の周りに形成される。上側表面には、示されるように、上方に延びる複数の上昇したライザーまたはスペーサー部材７１０が形成される。例示的な図示される実施形態において、これらの周囲のスペーサー部材７１０は、上側表面７０４の周りに、リム部分７０８に隣接して位置する。スペーサー部材７１０は、組み合わされたプレミアム表示領域および冷却／断熱構造体を提供し、この構造体は、デジタル媒体ディスク６０の形態のプレミアムに適合する。スペーサー部材７１０は、プレミアムを、上側表面７０４から離して維持する。これにより通路が提供され、この通路は、上側表面７０４とプレミアムとの間での空気流を可能にし、そしてこれによって、冷却を促進し、そしてプレミアムを凝縮から保護する。
【００２１】
蓋アセンブリ７００はまた、プレミアムがギャップによって上側表面７０４から離されるように、プレミアムをスペーサー部材に固定するための機構を備え、このギャップは、上側表面７０４の上での空気流を可能にする。一般に、固定機構は、蓋部材７０２に固定された頂部７１２を備える。例えば、頂部７１２は、ヒンジ機構７１４を用いて、リム部分７０８に固定される。例示的な図示される実施形態において、底部７０２および頂部７１２は、可撓性ヒンジ部材７１４で機械的に相互接続され、この可撓性ヒンジ部材は、示されるように、これらの底部と頂部との間に（一体的に）形成される。例示的な図示される実施形態において、頂部７１２は、陥凹部分７１６および端部７１８を備え、この陥凹部分は、ディスク形状のプレミアムの上にフィットし、そしてこのプレミアムを受容するような大きさにされており、そしてこの端部は、飲料分配開口部分７０６内にフィットされるような大きさにされたプラグ７２０を備える。例として、ホルダプラグ７２０は、頂部７１２が底部７０２にフィットされる場合に、プレミアムを底部７０２に固定し、そしてさらに、飲料分配開口部分７０６に栓をし、これによってこの開口部分を密封するように働くように成型された、突出部である。
【００２２】
本発明に従う蓋アセンブリの種々の実施形態は、ディスク形状のプレミアム以外の物品に適合するように構成される。例として、図８を参照すると、蓋アセンブリ８００は、水平な上側表面８０４および飲料分配開口部分８０６を有する、蓋部材８０２を備える。リム部分８０８が、蓋部材８０２を飲料容器に固定するために、上側表面８０４の周りに形成される。例示的な図示される実施形態において、上側表面８０４は、示されるように、上方に延び、そして上方表面８０４の周りに位置する複数の上昇したライザーまたはスペーサー部材８１０が形成される。スペーサー部材８１０は、組み合わされたプレミアム表示領域および冷却／断熱構造体を提供し、この構造体は、カード形状の物品６２（例えば、テレホンカード）の形態のプレミアムに適合する。スペーサー部材８１０は、プレミアムを、上側表面８０４から離して維持する。これにより通路が提供され、この通路は、上側表面８０４とプレミアムとの間での空気流を可能にし、そしてこれによって、冷却を促進し、そしてプレミアムを凝縮から保護する。
【００２３】
蓋アセンブリ８００はまた、プレミアムがギャップによって上側表面８０４から離されるように、プレミアムをスペーサー部材に固定するための機構を備え、このギャップは、上側表面８０４の上での空気流を可能にする。一般に、固定機構は、蓋部材８０２に固定された頂部８１２を備える。例えば、頂部８１２は、ヒンジ機構８１４を用いて、リム部分８０８に固定される。例示的な図示される実施形態において、底部８０２および頂部８１２は、可撓性ヒンジ部材８１４で機械的に相互接続され、この可撓性ヒンジ部材は、示されるように、これらの底部と頂部との間に（一体的に）形成される。例示的な図示される実施形態において、頂部８１２は、陥凹部分８１６および端部８１８を備え、この陥凹部分は、カード形状のプレミアムの上にフィットし、そしてこのプレミアムを受容するような大きさにされており、そしてこの端部は、飲料分配開口部分８０６内にフィットされるような大きさにされたプラグ８２０を備える。例として、ホルダプラグ８２０は、頂部８１２が底部８０２にフィットされる場合に、プレミアムを底部８０２に固定し、そしてさらに、飲料分配開口部分８０６に栓をし、これによって、飲料開口部分８０６を密封するように働くように成型された、突出部である。
【００２４】
図９を参照すると、蓋アセンブリ９００は、水平な上側表面９０４、飲料分配開口部分９０６、および排気孔９０７を有する、蓋部材９０２を備える。リム部分９０８が、蓋部材９０２を飲料容器５０に固定するために、上側表面９０４の周りに形成される。上側表面には、示されるように、上方に延びる複数の上昇したライザーまたはスペーサー部材９１０が形成される。例示的な図示される実施形態において、これらの周囲のスペーサー部材９１０は、上側表面９０４の周りに、リム部分９０８に隣接して位置する。
【００２５】
蓋アセンブリ９００はまた、ヒンジ機構９１４を用いて、リム部分９０８に固定された頂部９１２を備える。例示的な図示される実施形態において、底部９０２および頂部９１２は、可撓性ヒンジ部材９１４で機械的に相互接続され、この可撓性ヒンジ部材は、示されるように、これらの底部と頂部との間に（一体的に）形成される。例示的な図示される実施形態において、頂部９１２は、ディスク形状のプレミアム６０の上にフィットし、そしてこのプレミアムを受容するような大きさにされている陥凹部分９１６を備える。例示的な図示される頂部９１２にはまた、突出した留め具部材９１８および下向きに延びる突出部９２０が形成され、この留め具部材は、ディスク形状のプレミアムを頂部９１２に機械的に結合するために構成され、そしてこの下向きに延びる突出部９２０は、スペーサー部材とインターロックするために、スペーサー９１０に相補的な形状にされる。突出した留め具部材９１８は、プレミアムを頂部９１２に固定するための機構として機能し、その結果、頂部９１２が、スペーサー部材９１０および突出部９２０がインターロックした閉位置にある場合に、このプレミアムが、ギャップ（これは、上側表面９０４の上での空気流を可能にする）によって上側表面９０４から離される。従って、スペーサー部材９１０、陥凹部分９１６、突出した留め具部材９１８および突出部９２０は、組み合わされたプレミアム表示領域および冷却／断熱構造体を提供し、そしてプレミアムを上側表面９０４から離して維持する。これによって通路が提供され、この通路は、上側表面９０４とプレミアムとの間での空気流を可能にし、そしてこれによって、冷却を促進し、そしてプレミアムを凝縮から保護する。頂部は、不透明な材料から形成され得るか、または透明もしくは半透明な材料から形成され得、その結果、頂部がその閉位置にある場合にプレミアムが見え、これによって、消費者が、例えば、メッセージ、指示、ロゴ、「ピールアンドウィン（ｐｅｅｌ  ａｎｄ  ｗｉｎ）」ステッカーまたはこのプレミアム上の他の視覚的指標を見ることを可能にする。例示的な図示される頂部９１２は、蓋アセンブリの飲料分配開口部分９０６（マウスピース）に適合するための切り込み９２２をさらに備える。
【００２６】
図１０を参照すると、蓋アセンブリ１０００は、水平な上側表面１００４、飲料分配開口部分１００６、および排気孔１００７を有する、蓋部材１００２を備える。リム部分１００８が、蓋部材１００２を飲料容器５０に固定するために、上側表面１００４の周りに形成される。上側表面には、示されるように、上方に延びる複数の上昇したライザーまたはスペーサー部材１０１０が形成される。例示的な図示される実施形態において、これらの周囲のスペーサー部材１０１０は、上側表面１００４の周りに、リム部分１００８に隣接して位置する。
【００２７】
蓋アセンブリ１０００はまた、ヒンジ機構１０１４を用いて、リム部分１００８に固定された頂部１０１２を備える。例示的な図示される実施形態において、底部１００２および頂部１０１２は、可撓性ヒンジ部材１０１４で機械的に相互接続され、この可撓性ヒンジ部材は、示されるように、これらの底部と頂部との間に（一体的に）形成される。例示的な図示される実施形態において、頂部１０１２は、ディスク形状のプレミアム６０の上にフィットし、そしてこのプレミアムを受容するような大きさにされている陥凹部分１０１６を備える。例示的な図示される頂部１０１２にはまた、突出した留め具部材１０１８留め具１０２１を有するヒンジ付きカバー１０２０、および端部１０２２が形成され、この留め具部材は、ディスク形状のプレミアムを頂部１０１２に機械的に結合するために構成され、このヒンジ付きカバーは、プレミアムを陥凹部分内に固定するためのものであり、そしてこの端部は、飲料分配開口部分１００６内にフィットされるような大きさのプラグ１０２４を有する。突出した留め具部材１０１８は、プレミアムを頂部１０１２に固定するための機構として機能する；そしてヒンジ付きカバー１０２０は、その閉位置にある（すなわち、カバー留め具１０２１が、頂部１０１２における相補的な凹部にフィットされる）場合に、プレミアムに対するさらなる保護を提供する。突出した留め具部材１０１８および突出部１０２０は、上側表面１００４の上での空気流を可能にするギャップによって、プレミアムを上側表面１００４から離して維持する。従って、スペーサー部材１０１０、陥凹部分１０１６、突出した留め具部材１０１８および突出部１０２０は、組み合わされたプレミアム表示領域および冷却／断熱構造体を提供し、そしてプレミアムを上側表面１００４から離して維持する。これによって通路が提供され、この通路は、上側表面１００４とプレミアムとの間での空気流を可能にし、そしてこれによって、冷却を促進し、そしてプレミアムを凝縮から保護する。頂部１０１２および／またはヒンジ付きカバー１０２０は、不透明な材料から形成され得るか、または透明もしくは半透明な材料から形成され得、その結果、頂部がその閉位置にある場合にプレミアムが見え、これによって、消費者が、例えば、メッセージ、指示、ロゴ、「ピールアンドウィン（ｐｅｅｌ  ａｎｄ  ｗｉｎ）」ステッカーまたはこのプレミアム上の他の視覚的指標を見ることを可能にする。例として、ホルダプラグ１０２４は、頂部が底部１００２にフィットされる場合に、底部１００２にプレミアムを固定するように働き、そしてさらに、飲料分配開口部分１００６に栓をし、これによってこの開口部分を密封するように働くように成型された、突出部である。さらに、本明細書中に開示される蓋アセンブリの実施形態の任意のものにおいてヒンジが排除され得、そしてまたは代替の固定機構が使用され得ることが、理解されるべきである。
【００２８】
図１１Ａを参照すると、蓋アセンブリ１１００は、上側表面１１０４および上昇縁部１１０５を有する蓋部材１１０２を備え、この上昇縁部１１０５は、この蓋アセンブリの飲料分配開口部分１１０６に面する。リム部分１１０８が、蓋部材１１０２を飲料容器に固定するために、上部表面１１０４の周りに形成される。上側表面１１０４には、示されるように、複数の上昇したライザーまたはスペーサー部材１１１０、およびプレミアム（スナップオン取付具に相補的な大きさおよび形状の穴を有する）を蓋アセンブリに固定するための内向きに突出したスナップオン取付具１１１２が形成される。例示的な図示される実施形態において、上側表面１１０４は、リム部分１１０８の底縁部を含む面に対してある角度であり、この角度の頂点は、蓋部材１１０２の、飲料分配開口部分１１０６の反対側の部分の近くに位置する。また、上側表面１１０４は、プレミアム（例えば、示されるような、標準的な３インチＣＤ−ＲＯＭ業務用名刺６４）の形状と相補的である。例示的な図示される実施形態において、周囲のスペーサー部材１１１０は、示されるように、上側表面１１０４の周りで、周囲に隣接して位置する。スペーサー部材１１１０は、上向きに突出するスナップオン取付具１１１２と組み合わせて、組み合わされたプレミアム表示領域および冷却／断熱構造体を提供し、この構造体は、プレミアムに適合する。スペーサー部材１１１０および上向きに突出するスナップオン取付具１１１２は、一緒に、プレミアムを、上側表面１１０４から離して維持する。これによって通路が提供され、この通路は、上側表面１１０４とプレミアムとの間での空気流を可能にし、これによって、冷却を促進し、そしてプレミアムを凝縮から保護する。上側表面１１０４の、リム部分１１０８の底縁部を含む面に対する角度は、この通路を通る空気の流れを促進する。
【００２９】
図１１Ｂを参照すると、蓋アセンブリ１１５０は、上側表面１１５４および上昇縁部１１５５を有する蓋部材１１５２を備え、この上昇縁部１１５５は、この蓋アセンブリの飲料分配開口部分１１５６の逆に面する。リム部分１１５８が、蓋部材１１５２を飲料容器に固定するために、上部表面１１５４の周りに形成される。上側表面１１５４には、示されるように、複数の上昇したライザーまたはスペーサー部材１１６０、プレミアム（スナップオン取付具に相補的な大きさおよび形状の穴を有する）を蓋アセンブリに固定するための内向きに突出したスナップオン取付具１１６２、およびスペーサー１１６０と上向きに突出するスナップオン取付具１１６２との間の陥凹部分が形成される。例示的な図示される実施形態において、上側表面１１５４は、リム部分１１５８の底縁部を含む面に対してある角度であり、この角度の頂点は、蓋部材１１５２の、飲料分配開口部分１１５６の近くに位置する。また、上側表面１１５４の周囲の部分は、プレミアム（例えば、示されるような、標準的な３インチＣＤ−ＲＯＭ業務用名刺６４）の形状と相補的である。例示的な図示される実施形態において、周囲のスペーサー部材１１６０は、示されるように、上側表面１１５４の周りで、周囲に隣接して位置する。スペーサー部材１１６０は、上向きに突出するスナップオン取付具１１６２と組み合わせて、組み合わされたプレミアム表示領域および冷却／断熱構造体を提供し、この構造体は、プレミアムに適合する。スペーサー部材１１６０および上向きに突出するスナップオン取付具１１６２は、一緒に、プレミアムを、上側表面１１５４から離して維持する。これによって通路が提供され、この通路は、上側表面１１５４とプレミアムとの間での空気流を可能にし、これによって、冷却を促進し、そしてプレミアムを凝縮から保護する。上側表面１１５４の、リム部分１１５８の底縁部を含む面に対する角度は、この通路を通る空気の流れを促進する。
【００３０】
図１２を参照すると、蓋アセンブリ１２００は、上側表面１２０４および上昇縁部１２０５を有する蓋部材１２０２を備え、この上昇縁部１２０５は、この蓋アセンブリの飲料分配開口部分１２０６の逆に面する。リム部分１２０８が、蓋部材１２０２を飲料容器に固定するために、上部表面１２０４の周りに形成される。上側表面１２０４には、示されるように、複数の上昇したライザーまたはスペーサー部材１２１０が形成される。例示的な図示される実施形態において、上側表面１２０４は、リム部分１２０８の底縁部を含む面に対してある角度であり、この角度の頂点は、蓋部材１２０２の、飲料分配開口部分１２０６の近くに位置する。例示的な図示される実施形態において、スペーサー部材１２１０は、締め荒れるように、上側表面１０２４の周りに位置して、カード形状の物体６２（例えば、示されるようなテレホンカード）の形態のプレミアムに対する、分配された支持を提供する。スペーサー部材１２１０は、組み合わされたプレミアム表示領域および冷却／断熱構造体を提供し、この構造体は、プレミアムに適合し、そしてこのプレミアムを、上側表面１２０４から離して維持する。これによって通路が提供され、この通路は、上側表面１２０４とプレミアムとの間での空気流を可能にし、これによって、冷却を促進し、そしてプレミアムを凝縮から保護する。上側表面１２０４の、リム部分１２０８の底縁部を含む面に対する角度は、この通路を通る空気の流れを促進する。
【００３１】
蓋アセンブリ１２００はまた、プレミアムが、上側表面１２０４の上での空気流を可能にするギャップによって上側表面１２０４から分離されるように、プレミアムをスペーサー部材１２１０に固定するための機構を備える。一般に、この固定機構は、頂部１２１２を備え、この頂部は、蓋部材１２０２と相補的な様式で形成され、その結果、頂部１２１２は、蓋部材１２０２に対するプレミアムの上にスナップフィットされ得るか、または他の様式で固定され得る。例示的な図示される実施形態において、頂部１２１２は、スナップオン取付具１２１４および１２１６によって、蓋部材１２０２に固定され、これらの取付具は、傾斜した上側表面１２０４の反対側で、蓋部材１２０２に形成された凹部にフィットされる。例示的な図示される実施形態において、頂部１２１２は、カバー部分１２１８を供え、このカバー部分は、頂部１２１２が蓋部材１２０２に固定される場合にプレミアムの上に重なり、これによって、このプレミアムを保護および固定する。頂部１２１２は、不透明な材料から形成されて、カバー部分が、メッセージ、指示、ロゴ、「ピールアンドウィン（ｐｅｅｌ  ａｎｄ  ｗｉｎ）」ステッカーまたはこのプレミアム上の他の視覚的指標を、例えば、カバー部分１２１８に直接印刷することによってか、またはステッカーの形態で、カバー部分１２１８上に印刷物を適用することのいずれかによって運ぶことを、（必要に応じて）可能にし得る。あるいは、頂部１２１２は（「レンズ」の実施形態において）、透明化または半透明の材料から形成され得、その結果、プレミアムは、この頂部が蓋部材に固定されているときに見え、これによって、消費者が、例えば、メッセージ、指示、ロゴ、「ピールアンドウィン（ｐｅｅｌ  ａｎｄ  ｗｉｎ）」ステッカーまたはこのプレミアム上の他の視覚的指標を見ることを可能にする。例示的な図示される実施形態において、頂部１２１２は、空気排気孔１２２０および１２２２を備え、これらの排気孔は、示されるように、カバー部分１２１８と、それぞれスナップオン取付具１２１４および１２１６との間に位置し、プレミアムと上側表面１２０４との間でのさらなる空気の流れを可能にする。
【００３２】
図１３を参照すると、蓋アセンブリ１３００は、水平な上側表面１３０４および飲料分配開口部分１３０６を有する、蓋部材１３０２を備える。リム部分１３０８が、蓋部材１３０２を飲料容器に固定するために、上側表面１３０４の周りに形成される。上側表面には、示されるように、上方に延びる複数の上昇したライザーまたは周囲のスペーサー部材１３１０が形成される。例示的な図示される実施形態において、これらの周囲のスペーサー部材１３１０は、上側表面１３０４の周りに、リム部分１３０８に隣接して位置する。
【００３３】
蓋アセンブリ１３００はまた、プレミアム（例えば、示されるようなディスク形状のプレミアム６０）をスペーサー部材１３１０に固定するための機構を備える。この固定機構は、頂部１３１２を備え、この頂部は、蓋部材１３０２と相補的な様式で形成され、その結果、頂部１３１２は、蓋部材１３０２と機械的に係合する。例示的な図示される実施形態において、頂部１３１２は、内部にプレミアムを収容するような形状にされ、そして凹部および保護カバー１３１６が形成された基部１３１４を備え、この凹部は、内部にプレミアムを受容するような大きさにされ、そしてこの保護カバーは、プレミアムの上にフィットし、そして凹部の中にフィットするような大きさにされる。基部１３１４の下側には、下向きに延びる突出部１３１８および下向きに延びるプラグ１３２０が形成され、これらの突出部は、スペーサー部材１３１０とインターロックするために、スペーサー部材１３１０に対して相補的な形状にされており、そして下向きに延びるプラグは、飲料分配開口部分１３０６内にフィットされるような大きさにされる。従って、スペーサー部材１３１０および頂部１３１２は、組み合わされたプレミアム表示領域および冷却／断熱構造体を提供し、この構造体は、プレミアムに適合し、そしてプレミアムを、上側表面１３０４から離して維持する。これによって通路が提供され、この通路は、上側表面１３０４とプレミアムとの間での空気流を可能にし、これによって、冷却を促進し、そしてプレミアムを凝縮から保護する。保護カバー１３１６は、不透明な材料から、または透明もしくは半透明の材料から形成され得る。
【００３４】
図１４を参照すると、蓋アセンブリ１４００は、水平な上側表面１４０４および飲料分配開口部分１４０６を有する、蓋部材１４０２を備える。リム部分１４０８が、蓋部材１４０２を飲料容器に固定するために、上側表面１４０４の周りに形成される。上側表面には、示されるように、上方に延びる複数の上昇したライザーまたは周囲のスペーサー部材１４１０が形成される。例示的な図示される実施形態において、これらの周囲のスペーサー部材１４１０は、上側表面１４０４の周りに、リム部分１４０８に隣接して位置する。
【００３５】
蓋アセンブリ１４００はまた、プレミアム（単独）またはプレミアムおよび頂部（例えば、示されるような、保護プラスチックカバーで包まれたディスク形状のプレミアム６０）をスペーサー部材１４１０に固定するための機構を備える。この保護カバーには、頂部１４１２を蓋部材１４０２から引き離すための、１つ以上のタブ（図示せず）が形成され得る。この固定機構は、スペーサー部材１４１０の１つ以上の頂部に適用された、接着物質を含む。接着剤を有さない、さらなるスペーサー部材１４１０が追加されて、プレミアムとの接触面積を増加させ得、その結果、蓋部材１４０２は、接着剤（これは、層が蓋部材１４０２から離される場合に、プレミアムを破壊する危険性を増加させ得る）を追加することなく、飲料カップに正しく締まりばめされ得る（すなわち、適切なシールを用いて）。あるいは、摩擦ばめが、接着材料の代わりに使用され得る。従って、スペーサー部材１４１０および頂部１４１２は、組み合わされたプレミアム表示領域および冷却／断熱構造体を提供し、この構造体は、プレミアムに適合し、そしてプレミアムを、上側表面１４０４から離して維持する。これによって通路が提供され、この通路は、上側表面１４０４とプレミアムとの間での空気流を可能にし、これによって、冷却を促進し、そしてプレミアムを凝縮から保護する。頂部１４１２は、不透明な材料から、または透明もしくは半透明の材料から形成され得る。
【００３６】
図１５を参照すると、蓋アセンブリ１５００は、水平な上側表面１５０４（凹状の中心部分を囲む）および飲料分配開口部分１５０６を有する、蓋部材１５０２を備える。リム部分１５０８が、蓋部材１５０２を飲料容器に固定するために、上側表面１５０４の周りに形成される。例示的な図示される実施形態において、蓋部材１５０２の周囲部分には、示されるように、複数の押し込み部分１５１０が形成される。蓋アセンブリ１５００はまた、頂部またはスペーサー部材１５１２を備え、これは、蓋部材１５０２と相補的な様式で形成され、その結果、スペーサー部材１５１２は、蓋部材１５０２と機械的に係合し、同時にスペーサー部材１５１２の下側と上側表面１５０４との間に、ギャップを維持する。例示的な図示される実施形態において、スペーサー部材１５１２には、下向きに延びる突出部１５１４が形成され、これは、１つ以上の押し込み部分１５１０と相補的な様式で機械的にインターフィットするために構成され、飲料分配開口部分１５０６内にフィットするための大きさにされたプラグ部材１５１６を備える。
【００３７】
蓋アセンブリ１５００はまた、プレミアムをスペーサー部材１５１２に固定するための機構を備える。例示的な図示される実施形態において、このプレミアム固定機構は、上向きに延びるポスト部材１５１８を備え、このポスト部材は、プレミアムを機械的に係合し、そしてスペーサー部材１５１２の上面に固定するために形成される。従って、スペーサー部材１５１２および上向きに延びるポスト部材１５１２は、組み合わされたプレミアム表示領域および冷却／断熱構造体を提供し、この構造体は、プレミアムに適合し、そしてプレミアムを、上側表面１５０４から離して維持する。これによって通路が提供され、この通路は、上側表面１５０４とプレミアムとの間での空気流を可能にし、これによって、冷却を促進し、そしてプレミアムを凝縮から保護する。保護カバー１５１６は、不透明な材料から、または透明もしくは半透明の材料から形成され得る。
【００３８】
図１６を参照すると、蓋アセンブリ１６００は、水平な上側表面１６０４（凹状の中心部分を囲む）および飲料分配開口部分１６０６を有する、蓋部材１６０２を備える。リム部分１６０８が、蓋部材１６０２を飲料容器に固定するために、上側表面１６０４の周りに形成される。蓋アセンブリ１６００はまた、頂部またはスペーサー部材１６１２を備え、これは、蓋部材１６０２と相補的な様式で形成され、その結果、スペーサー部材１６１２は、蓋部材１６０２と機械的に係合する。スペーサー部材１６１２には、少なくとも１つの下向きに延びる突出部が形成され、この突出部は、スペーサー部材１６１２を蓋部材１６０２に機械的にインターフィットさるための構成にされる。例示的な図示される実施形態において、スペーサー部材１６１２は、波型の材料（例えば、ディスク形状のプレミアム６０に適合するような大きさにされた、波型の厚紙）を備え、そして下向きに延びる突出部は、飲料分配開口部分１０６０内にフィットするような大きさにされたプラグ部材１６１６を備える。プラグ部材１６１６に加えて、粘着力が低い（ｌｉｇｈｔ  ｓｔｉｃｋ）接着剤が、スペーサー部材１６１２の下側に使用され得る。従って、スペーサー部材１６１２は、プレミアムが（例えば接着剤で）固定され得るプレミアム表示領域、および飲料容器のための冷却／断熱構造体を提供し、この構造体は、プレミアムを、上側表面１６０４から離して維持する。これによって通路が提供され、この通路は、上側表面１６０４とプレミアムとの間での空気流を可能にし、これによって、冷却を促進し、そしてプレミアムを凝縮から保護する。保護カバー１６１６は、不透明な材料から、または透明もしくは半透明の材料から形成され得る。
【００３９】
従って、開示される種々の蓋アセンブリの実施形態は、接着点が減少した、小さい表面積（すなわち、飲料カップとふたアセンブリの底部との間の接触より小さい表面積）を提供し、これによって、蓋アセンブリからプレミアムを分離する間の、活発または不器用な消費者によって不注意ではね散ることに対して保護される。２部分の蓋アセンブリの頂部と底部との間での摩擦（接着）が、底部と飲料カップとの間より低いことにより、消費者は、底部を飲料カップから離すことなく、または底部と飲料カップとの間のシールを破壊することなく、小さい抵抗で、頂部を取り外し得る。
【００４０】
図１７を参照すると、プレミアムホルダ装置１７００は、プラットフォーム１７０２を備え、このプラットフォームは、示されるように、下向きに突出する複数のスペーサー部材１７０４、および中心に配置される下向きに突出するプラグイン部材１７０６を備え、このプラグイン部材は、飲料容器の蓋１７１０のストロー穴内にフィットされるための大きさであり、そしてプラットフォーム１７０２を、飲料容器の蓋１７１０に固定し、その結果、ギャップが、プラットフォーム１７０２と、飲料容器の蓋１７１０の上側表面１７１２との間に維持される。例示的な図示される実施形態において、スペーサー部材１７０４は、プラットフォームの周りに、プラットフォーム１７０２の周囲に配置される。プレミアムホルダ装置１７００は、デジタルメディアディスク６０の形態のプレミアムをプラットフォーム１７０２に固定するための機構をさらに備える。保護用のプラスチックまたは他の収容材料が、プレミアムのために提供され得る。例示的な図示される実施形態において、プレミアム固定機構は、スナップオンフィット部材１７１４を備え、この部材は、プラットフォーム１７０２から上向きに突出し、そしてプレミアムに機械的に係合し、そしてプラットフォーム１７０２の頂面にプレミアムを固定するように形成される。従って、プラットフォーム１７０２、スペーサー部材１７０４、およびスナップオンフィット部材１７１４は、組み合わされたプレミアム表示領域および冷却／断熱構造体を提供し、そしてプレミアムを、上側表面１７１２から離して維持する。これによって通路が提供され、この通路は、上側表面１７１２とプレミアムとの間での空気流を可能にし、そしてこれによって、冷却を促進し、そしてプレミアムを凝縮から保護する。
【００４１】
図１８を参照すると、プレミアムホルダ装置１８００は、プラットフォーム１８０２を備え、このプラットフォームは、示されるように、下向きに突出する複数のスペーサー部材１８０４、および中心に配置される下向きに突出するプラグイン部材１８０６を備え、このプラグイン部材は、飲料容器の蓋１８１０のストロー穴内にフィットされるための大きさであり、そしてプラットフォーム１８０２を、飲料容器の蓋１８１０に固定し、その結果、ギャップが、プラットフォーム１８０２と、飲料容器の蓋１８１０の上側表面１８１２との間に維持される。例示的な図示される実施形態において、スペーサー部材１８０４は、プラットフォームの周りに、プラットフォーム１８０２の周囲に配置される。プレミアムホルダ装置１８００は、デジタルメディアディスク６０の形態のプレミアムをプラットフォーム１８０２に固定するための機構をさらに備える。保護用のプラスチックまたは他の収容材料が、プレミアムのために提供され得る。例示的な図示される実施形態において、プレミアム固定機構は、スナップオンフィット部材１８１４を備え、この部材は、プラットフォーム１８０２から上向きに突出し、そしてプレミアムに機械的に係合し、そしてプラットフォーム１８０２の頂面にプレミアムを固定するように形成される。従って、プラットフォーム１８０２、スペーサー部材１８０４、およびスナップオンフィット部材１８１４は、組み合わされたプレミアム表示領域および冷却／断熱構造体を提供し、そしてプレミアムを、上側表面１８１２から離して維持する。これによって通路が提供され、この通路は、上側表面１８１２とプレミアムとの間での空気流を可能にし、そしてこれによって、冷却を促進し、そしてプレミアムを凝縮から保護する。例示的な図示される実施形態において、プラットフォーム１８０２、プラグイン部材１８０６、およびスナップオンフィット部材１８１４には、ドリンクストロー１８１８を受容するための、これらを通って延びるチャネル１８１６が形成される。
【００４２】
図１９を参照すると、プレミアムホルダ装置１９００は、飲料容器の蓋１９０６のストロー穴１９０４内にフィットするための大きさにされた、プラグイン部材１９０２を備える。プレミアムホルダ装置１９００は、プレミアム（例えば、示されるようなデジタルメディアディスク６０）を、プラグイン部材１９０２に固定するための機構をさらに備える。保護用のプラスチックまたは他の収容材料が、プレミアムのために提供され得る。１つの例示的な図示される実施形態において、プレミアム固定機構は、可撓性部材１９０８（例えば、プラスチック片、糸など）を備え、これは、プレミアムをプラグイン部材１９０２に取り付ける。例示的な図示される実施形態において、可撓性部材１９０８は、プレミアムが飲料容器の蓋１９０６の側部からぶら下がることを可能にするために十分に長く、そしてプラグイン部材１９０２には、ドリンクストロー１９１２を受容するためのチャネル１９１０が、この部材を通して形成される。
【００４３】
本発明は、上記実施形態の観点で記載されたが、上記実施形態に対する多数の改変および／または追加が、当業者に容易に明らかである。本発明の範囲は、このような改変および／または追加の全てまでに及ぶことが意図される。
【図面の簡単な説明】
【００４４】
【図１】図１は、本発明に従う飲料容器のための蓋アセンブリの斜視図であり、これは、傾斜した上側表面、この上側表面に形成された上昇したライザーおよびこの上昇したライザーにプレミアムを固定するための留め具部材を備える。
【図１Ａ】図１Ａは、図１の飲料容器のための蓋アセンブリの部分断面側面図であり、蓋アセンブリの飲料分配開口部分に挿入された留め具部材の、マウスピースこぼれ防止プラグを示す。
【図２Ａ】図２Ａは、本発明に従う飲料容器のための蓋アセンブリの例示的な実施形態の上面図であり、これは、傾斜した上側表面、および穴を有するプレミアムを蓋アセンブリに固定するためのスナップインプラグを備える。
【図２Ｂ】図２Ｂは、本発明に従う飲料容器のための蓋アセンブリの例示的な実施形態の断面側面図であり、これは、傾斜した上側表面、および穴を有するプレミアムを蓋アセンブリに固定するためのスナップインプラグを備える。
【図３Ａ】図３Ａは、本発明に従う飲料容器のための蓋アセンブリの例示的な実施形態の上面図であり、これは、傾斜した上側表面、および穴を有するプレミアムを蓋アセンブリに固定するための上向きに突出するスナップオン取付具を備える。
【図３Ｂ】図３Ｂは、本発明に従う飲料容器のための蓋アセンブリの例示的な実施形態の断面側面図であり、これは、傾斜した上側表面、および穴を有するプレミアムを蓋アセンブリに固定するための上向きに突出するスナップオン取付具を備える。
【図４Ａ】図４Ａは、本発明に従う飲料容器のための蓋アセンブリの例示的な実施形態の上面図であり、これは、水平な上側表面、スペーサーおよび穴を有するプレミアムを蓋アセンブリに固定するためのスナップインプラグを備える。
【図４Ｂ】図４Ｂは、本発明に従う飲料容器のための蓋アセンブリの例示的な実施形態の側面図であり、これは、水平な上側表面、スペーサーおよび穴を有するプレミアムを蓋アセンブリに固定するためのスナップインプラグを備える。
【図４Ｃ】図４Ｃは、図４Ａの飲料容器のための蓋アセンブリの部分断面側面図である。
【図４Ｄ】図４Ｄは、図４Ａの飲料容器のための蓋アセンブリの部分断面側面図である。
【図４Ｅ】図４Ｅは、図４Ａの飲料容器のための蓋アセンブリの例示的なディスクプレミアムおよびホルダ／吸い込みプラグの斜視図である。
【図５Ａ】図５Ａは、本発明に従う飲料容器のための蓋アセンブリの例示的な実施形態の上面図であり、これは、水平な上側表面、リブ付きスペーサーおよび穴を有するプレミアムを蓋アセンブリに固定するためのスナップインプラグを備える。
【図５Ｂ】図５Ｂは、本発明に従う飲料容器のための蓋アセンブリの例示的な実施形態の側面図であり、これは、水平な上側表面、リブ付きスペーサーおよび穴を有するプレミアムを蓋アセンブリに固定するためのスナップインプラグを備える。
【図５Ｃ】図５Ｃは、図５Ａの飲料容器のための蓋アセンブリの、例示的なディスクプレミアムおよびリブ付きスペーサーのうちの２つを通る、部分断面図である。
【図６Ａ】図６Ａは、本発明に従う飲料容器のための蓋アセンブリの例示的な実施形態の上面図であり、これは、水平な上側表面、繊維性スペーサーおよび穴を有するプレミアムを蓋アセンブリに固定するためのスナップインプラグを備える。
【図６Ｂ】図６Ｂは、本発明に従う飲料容器のための蓋アセンブリの例示的な実施形態の側面図であり、これは、水平な上側表面、繊維性スペーサーおよび穴を有するプレミアムを蓋アセンブリに固定するためのスナップインプラグを備える。
【図６Ｃ】図６Ｃは、図６Ａの飲料容器のための蓋アセンブリの、例示的なディスクプレミアムおよび繊維性スペーサーを通る、部分断面図である。
【図７】図７は、本発明に従う飲料容器のための蓋アセンブリの例示的な実施形態の斜視図であり、これは、水平な上側表面、スペーサー、折り重ね蓋（頂部）を備え、この蓋は、ディスク形状のプレミアムを保持するように構成され、そしてマウスピースこぼれ防止プラグが形成される。
【図８】図８は、本発明に従う飲料容器のための蓋アセンブリの例示的な実施形態の斜視図であり、これは、水平な上側表面、スペーサー、折り重ね蓋（頂部）を備え、この蓋は、カード形状のプレミアムを保持するように構成され、そしてマウスピースこぼれ防止プラグが形成される。
【図９】図９は、本発明に従う飲料容器のための蓋アセンブリの例示的な実施形態の斜視図であり、これは、水平な上側表面、スペーサー、折り重ね蓋（頂部）、蓋アセンブリのマウスピースに適合するための切り抜き、およびディスク形状のプレミアムを機械的に係合するための突出する留め具部材を備え、この蓋は、ディスク形状のプレミアムを保持するように構成され、そしてスペーサーとインターロックするための下向きに延びる突出部を有する。
【図１０】図１０は、本発明に従う飲料容器のための蓋アセンブリの例示的な実施形態の斜視図であり、これは、水平な上側表面、スペーサー、折り重ね蓋（頂部）、プレミアムを保護するためのヒンジ付きカバー、およびマウスピースこぼれ防止プラグを備え、この蓋は、ディスク形状のプレミアムを保持するように構成され、そしてディスク形状のプレミアムを機械的に係合するための突出する留め具部材を有する。
【図１１Ａ】図１１Ａは、本発明に従う飲料容器のための蓋アセンブリの例示的な実施形態の斜視図であり、これは、蓋アセンブリの飲料分配開口部分に面する上昇した縁部を有する傾斜した上側表面を備え、この上側表面には、ライザーおよび上向きに突出するスナップオン取付具が形成され、この取付具は、穴を有する相補的な形状のプレミアムを蓋アセンブリに固定するためのものである。
【図１１Ｂ】図１１Ｂは、本発明に従う飲料容器のための蓋アセンブリの例示的な実施形態の斜視図であり、これは、蓋アセンブリの飲料分配開口部分の逆に面する上昇した縁部を有する傾斜した上側表面を備え、この上側表面には、ライザーおよび上向きに突出するスナップオン取付具が形成され、この取付具は、穴を有する相補的な形状のプレミアムを蓋アセンブリに固定するためのものである。
【図１２】図１２は、本発明に従う飲料容器のための蓋アセンブリの例示的な実施形態の斜視図であり、これは、カード形状のプレミアムを収容するためのライザーが形成された、傾斜した上側表面、および蓋アセンブリと機械的に係合するように構成され、これによってプレミアムを蓋アセンブリに固定するように構成された、切り込み付きの頂部を備える。
【図１３】図１３は、本発明に従う飲料容器のための蓋アセンブリの例示的な実施形態の斜視図であり、これは、ライザーが形成された水平な上側表面、およびプレミアムを内部に収容するような形状にされた頂部を備え、この頂部には、ライザーを機械的に係合するための、下向きに突出するペーサー、および蓋アセンブリの飲料分配開口部分内にフィットするためのプラグが形成される。
【図１４】図１４は、本発明に従う飲料容器のための蓋アセンブリの例示的な実施形態の斜視図であり、これは、ライザーが形成された水平な上側表面、およびプレミアムを上部に支持するような形状にされ、そしてプレミアムのための保護カバーを備える頂部を備え、この頂部は、接着物質を用いて、ライザーに固定される。
【図１５】図１５は、本発明に従う飲料容器のための蓋アセンブリの例示的な実施形態の斜視図であり、これは、上側表面およびスペーサー部材を有する蓋部材を備え、このスペーサー部材は、蓋部材と機械的に相互フィットし、同時にスペーサー部材と上側表面との間にギャップを維持するように構成され、このスペーサー部材は、穴を有するプレミアムを蓋アセンブリに固定するための、上向きに突出するスナップオン取付具を備える。
【図１６】図１６は、本発明に従う飲料容器のための蓋アセンブリの例示的な実施形態の斜視図であり、これは、飲料分配開口部分および波形スペーサー部材を備え、この波形スペーサー部材には、下向きに延びる突出部が形成され、この突出部は、スペーサー部材を蓋部材に機械的に相互フィットさせるためのものであり、この波形スペーサー部材は、プレミアム表示領域と飲料容器のための冷却／断熱構造体との両方を提供する。
【図１７】図１７は、本発明に従う飲料容器の蓋のためのプレミアムホルダ装置の例示的な実施形態の斜視図であり、これは、下向きに突出するスペーサー部材を有するプラットフォーム、飲料容器の蓋のストロー穴内にフィットするための大きさにされた下向きに突出する差込部材、およびプレミアムをプラットフォームに固定するための上向きに突出するスナップオンフィット部材を備える。
【図１８】図１８は、図１７のものと類似の、飲料容器の蓋のためのプレミアムホルダ装置の例示的な実施形態の斜視図であるが、プラットフォーム、差込部材およびスナップオンフィット部材には、ストローを受容するための、これらを通って延びるチャネルが形成されている。
【図１９】図１９は、本発明に従う飲料容器の蓋のためのプレミアムホルダ装置の例示的な実施形態の斜視図であり、これは、飲料容器の蓋のストロー穴にフィットするための大きさにされた差込部材、およびこの差込部材にプレミアムを取り付ける可撓性部材を備え、この差込部材には、ストローを受容するための、そこを通って延びるチャネルが形成されている。
【図１】
2005535528.tif 000003
2005535528.tif 000004
2005535528.tif 000005
2005535528.tif 000006
2005535528.tif 000007
2005535528.tif 000008
【図７】
2005535528.tif 000009
【図８】
2005535528.tif 000010
【図９】
2005535528.tif 000011
【図１０】
2005535528.tif 000012
2005535528.tif 000013
2005535528.tif 000014
【図１２】
2005535528.tif 000015
【図１３】
2005535528.tif 000016
【図１４】
2005535528.tif 000017
【図１５】
2005535528.tif 000018
【図１６】
2005535528.tif 000019
【図１７】
2005535528.tif 000020
【図１８】
2005535528.tif 000021
【図１９】
2005535528.tif 000022
【国際調査報告】
2005535528.tif 000023